(57)【特許請求の範囲】
【請求項１】
定電圧電源装置及びバッテリが接続されるようになされたポータブル電子機器であって、前記定電圧電源装置及び前記バッテリが共に接続されているときには前記定電圧電源装置により前記ポータブル電子機器を駆動すると共に前記定電圧電源装置により前記バッテリを充電するようにし、前記定電圧電源装置又はバッテリのいずれか一方が接続されているときには、この接続されている定電圧電源装置又はバッテリで前記ポータブル電子機器を駆動するようにしたポータブル電子機器の電源識別装置において、
前記定電圧電源装置及びバッテリの夫々の電源電圧を検出する第１及び第２の電圧検出手段を設けると共に前記定電圧電源装置により前記バッテリを充電するときに前記第２の電圧検出手段で検出した電圧が前記第２の基準電圧より低いときの充電に使用する初期充電手段と前記第２の基準電圧より高いときの通常充電に使用する通常充電手段とを設け、前記第１の電圧検出手段で検出した電圧が第１の基準電圧より高く前記定電圧電源装置が前記ポータブル電子機器に接続されているときで、前記第２の電圧検出手段で検出した電圧が前記第２の基準電圧より低いときには前記初期充電手段を動作しながら前記第２の電圧検出手段により前記バッテリが接続されているかどうかを識別するようにしたことを特徴とするポータブル電子機器の電源識別装置。
【請求項２】
請求項１記載のポータブル電子機器の電源識別装置において、前記第１及び第２の電圧検出手段はアナログ信号をデジタル信号に変換するＡ−Ｄ変換器を介して検出するようにしたことを特徴とするポータブル電子機器の電源識別装置。
【発明の詳細な説明】
【０００１】
【発明の属する技術分野】
本発明は定電圧電源装置及びバッテリの双方で駆動できるようにしたカメラ一体型ビデオレコーダ等のポータブル電子機器の電源識別装置に関する。
【０００２】
【従来の技術】
一般にカメラ一体型ビデオレコーダ等のポータブル電子機器においては、電源として商用電源より所定の直流電圧を得る定電圧電源装置と所定の直流電圧が得られるバッテリとの双方が使用できる如くなされている。
【０００３】
この定電圧電源装置とバッテリとの双方が電源として使用できるようになされたポータブル電子機器においては、一般にこの定電圧電源装置とバッテリとの双方が接続されているときには、この定電圧電源装置により、このポータブル電子機器を駆動するようにすると共にこの定電圧電源装置によりバッテリを充電する如くしている。
【０００４】
また、この定電圧電源装置又はバッテリのいずれか一方が接続されているときは、この接続されている定電圧電源装置又はバッテリでこのポータブル電子機器を駆動する如くしている。
【０００５】
従来、このポータブル電子機器にバッテリが装着（接続）されているかどうかを識別するのにバッテリの装着部に機械的スイッチを設けて、機械的にバッテリの装着情報を検出する如くしていた。
【０００６】
【発明が解決しようとする課題】
然しながら、このバッテリの装着部にバッテリ以外のものでも、機械的に装着できれば誤検出してしまう不都合があった。
【０００７】
また、このバッテリの装着情報を検出するのに機械的スイッチを用いているので、この機構を設けるための機械的な設計制約を受けると共にこの機械的スイッチ等の部品コストがかかる不都合があった。
【０００８】
本発明は斯る点に鑑み、機械的スイッチを使用することなく、且つバッテリの装着情報を誤検出することなく得ることができるようにすることを目的とする。
【０００９】
【課題を解決するための手段】
本発明のポータブル電子機器の電源識別装置は、定電圧電源装置及びバッテリが接続されるようになされたポータブル電子機器であって、この定電圧電源装置及びバッテリが共に接続されているときには、この定電圧電源装置によりこのポータブル電子機器を駆動すると共にこの定電圧電源装置によりこのバッテリを充電するようにし、定電圧電源装置又はバッテリのいずれか一方が接続されているときには、この接続されている定電圧電源装置又はバッテリでこのポータブル電子機器を駆動するようにしたポータブル電子機器の電源識別装置において、この定電圧電源装置及びバッテリの夫々の電源電圧を検出する第１及び第２の電圧検出手段を設けると共にこの定電圧電源装置によりこのバッテリを充電するときにこの第２の電圧検出手段で検出した電圧が第２の基準電圧より低いときの充電に使用する初期充電手段とこの第２の基準電圧より高いときの通常充電に使用する通常充電手段とを設け、この第１の電圧検出手段で検出した電圧が第１の基準電圧より高くこの定電圧電源装置が、このポータブル電子機器に接続されているときで、この第２の電圧検出手段で検出した電圧が第２の基準電圧より低いときにはこの初期充電手段を動作しながらこの第２の電圧検出手段によりこのバッテリが接続されているかどうかを識別するようにしたものである。
【００１０】
斯る本発明によればバッテリの装着情報を検出するのにこのバッテリの電圧により得ると共にこのバッテリの電圧が低いときには初期充電手段により充電しながら装着情報を得るようにしているので精度の高い識別を行なうことかできる。
【００１１】
また本発明によれば、機械的スイッチを使用することなく、バッテリの装着情報を得るようにしているので、機械的な設計制約を受けないと共に部品コストを削減できる。
【００１２】
【発明の実施の形態】
以下、図面を参照して本発明ポータブル電子機器の電源識別装置の実施の形態の例につき説明しよう。図１例は本発明をカメラ一体型ビデオレコーダに適用した例を示す。
【００１３】
図１において、１はカメラ一体型ビデオレコーダを示し、このカメラ一体型ビデオレコーダに、このカメラ一体型ビデオレコーダを制御するマイクロコンピュータより成るシステムコントローラ２を設ける。
【００１４】
また、このカメラ一体型ビデオレコーダ１に、商用電源を整流し所定の直流電圧が得られるようになされた定電圧電源装置３の一方及び他方の出力端子が接続される一方及び他方の電源端子１ａ及び１ｂを設けると共に所定直流電圧のバッテリ４の正極及び負極が接続されるバッテリ用の一方及び他方の電源端子１ｃ及び１ｄを設ける。
【００１５】
定電圧電源装置３の一方の出力端子が接続される一方の電源端子１ａを逆流防止用のダイオード５及び定電圧回路６の直列回路を介してマイクロコンピュータよりなるシステムコントローラ２の電源端子Ｖddに接続すると共に一方の電源端子１ａを分圧用の抵抗器Ｒ１及びＲ２の直列回路を介して接地し、この抵抗器Ｒ１及びＲ２の接続点をシステムコントローラ２のアナログ信号をデジタル信号に変換する第１のＡ−Ｄ変換器が接続されている第１のＡ／Ｄ入力端子に接続する。
【００１６】
また、バッテリ４の正極が接続される一方の電源端子１ｃを逆流防止用のダイオード７及び定電圧回路６の直列回路を介してシステムコントローラ２の電源端子Ｖddに接続すると共にこの一方の電源端子１ｃを分圧用の抵抗器Ｒ３及びＲ４の直列回路を介して接地し、この抵抗器Ｒ３及びＲ４の接続点をシステムコントローラ２の第２のＡ−Ｄ変換器が接続されている第２のＡ／Ｄ入力端子に接続する。
【００１７】
また、定電圧電源装置３の他方の出力端子が接続される他方の電源端子１ｂ、バッテリ４の負極が接続される他方の電源端子１ｄ及びシステムコントローラ２の接地端子ＧＮＤを接地する如くする。
【００１８】
また、定電圧電源装置３の一方の出力端子が接続される一方の電源端子１ａをシステムコントローラ２の充電制御端子に得られる制御信号により制御される充電制御回路８を介して、バッテリ４の正極が接続されバッテリ用の一方の電源端子１ｃに接続する。
【００１９】
この充電制御回路８はバッテリ４の端子間電圧が低いときは、定電圧電源装置３よりの充電電流を制限して初期充電をするようにすると共にこのバッテリ４の端子間電圧が所定電圧より高いときは定電圧電源装置３よりの充電電流を直接にバッテリ４に供給する通常充電を行なう如く、システムコントローラ２の充電制御端子に得られる制御信号により制御される如くなしたものである。
【００２０】
また、この充電制御回路８はバッテリ４をこのカメラ一体型ビデオレコーダ１の電源として使用するときには、このシステムコントローラ２により導通状態とされる如くなされている。
【００２１】
また一方及び他方の電源端子１ａ（１ｃ）及び１ｂ（１ｄ）に得られる電源電圧をＤＣ−ＤＣコンバータ９に供給し、このＤＣ−ＤＣコンバータ９をシステムコントローラ２のＤＣ−ＤＣコンバータ制御端子に得られる制御信号により制御して、このＤＣ−ＤＣコンバータ９の出力端子９ａに所定の直流電圧を得る様にし、この出力端子９ａに得られる電圧により、このカメラ一体型ビデオレコーダ本体を駆動する如くする。
【００２２】
本例においてはシステムコントローラ２の第１のＡ／Ｄ入力端子に供給される分圧用抵抗器Ｒ１及びＲ２で分圧された定電圧電源装置３よりの電源電圧値を第１のＡ−Ｄ変換器でデジタルの電源電圧値Ｖacv とし、その後デジタル処理する如くする。
【００２３】
また、このシステムコントローラ２の第２のＡ／Ｄ入力端子に供給される分圧用抵抗器Ｒ３及びＲ４で分圧されたバッテリ４よりの電源電圧値を第２のＡ−Ｄ変換器でデジタルの電源電圧値Ｖbattとし、その後デジタル処理する如くする。
【００２４】
また、このシステムコントローラ２においては定電圧電源装置３が接続されているかどうかの識別の基準電圧値をＶｔ１として予めメモリに記憶し、バッテリ４が接続されているかどうかの識別の基準電圧値をＶｔ２として予めメモリに記憶し、また初期充電動作時のバッテリ４が接続されているかどうかの識別の基準電圧値をＶｔ３として予めメモリに記憶する如くする。
【００２５】
次に本例の動作を図２のフローチャートを参照して説明する。
システムコントローラ２に電源が供給されると、この第１及び第２のＡ−Ｄ変換器が動作し、その出力側にデジタルの電圧値Ｖacv 及びＶbattが得られる（ステップＳ１，Ｓ２，Ｓ３）。
【００２６】
次に定電圧電源装置３が接続されているかどうかをシステムコントローラ２の第１のＡ−Ｄ変換器の出力側のデジタルの電圧値Ｖacv が基準電圧値Ｖｔ１より小さいかどうかにより識別する（ステップＳ４）。
【００２７】
この場合、この電圧値Ｖacv がこの基準電圧値Ｖｔ１より低いときは定電圧電源装置３が接続されていないと識別し、バッテリ４の充電はしない如くすると共にこのシステムコントローラ２はこのバッテリ４でカメラ一体型ビデオレコーダ１を駆動する如くする（ステップＳ５）。
【００２８】
この電圧値Ｖacv がこの基準電圧値Ｖｔ１より高いときは定電圧電源装置３が接続されていると識別し、このシステムコントローラ２はこの定電圧電源装置３でこのカメラ一体型ビデオレコーダ１を駆動する如くすると共にバッテリ４が装着されているかどうかを、このシステムコントローラ２の第２のＡ−Ｄ変換器の出力側のデジタルの電圧値Ｖbattが基準電圧値Ｖｔ２より小さいかどうかにより識別する（ステップＳ６）。
【００２９】
この場合この電圧値Ｖbattがこの基準電圧値Ｖｔ２より高いときは、バッテリ４が装着されていると識別し、充電制御回路８を通常充電状態とし（ステップＳ７）、その後、この定電圧電源装置３によりこのカメラ一体型ビデオレコーダ１を駆動すると共にバッテリ４を充電する如くする。
【００３０】
また、この電圧値Ｖbattが基準電圧値Ｖｔ２より低く例えば「０」のときは充電制御回路８を制御して初期充電動作を行なう如くする（ステップＳ８）。
【００３１】
この場合、バッテリ４が接続されていないときには電圧値Ｖbattは「０」となる。ところで、この電圧値Ｖbattが「０」となる場合には、バッテリ４がないときとこのバッテリ４が過放電のためにこの電圧値Ｖbattが「０」に近いときとがあるので、このステップＳ６の時点では、バッテリ４が装着されていないと識別することは出来ない。
【００３２】
そこで、ステップＳ８で初期充電を行なう。この初期充電動作を行ったときに、バッテリ４が過放電のときはこのバッテリ４の端子間電圧即ち第２のＡ−Ｄ変換器の出力側のデジタルの電圧値Ｖbattは徐々に上昇し、このときは基準電圧値Ｖｔ３より大きくならないが、バッテリ４が装着されていないときには、この電圧値Ｖbattは一気に定電圧電源装置３の電圧の分圧用抵抗器Ｒ３及びＲ４（この分圧用抵抗器Ｒ３，Ｒ４の抵抗値は比較的大きいものとする。）で分圧した電圧値まで上昇し、この基準電圧値Ｖｔ３より大きくなるので、ステップＳ９でこの判断を行なう。
【００３３】
このステップＳ９の判断により、この電圧値Ｖbattがこの基準電圧値Ｖｔ３より大きいときはバッテリ４が装着されていないと判断し、システムコントローラ２は定電圧電源装置３でこのカメラ一体型ビデオレコーダを駆動する如くしバッテリ４の充電動作を行わない如くする（ステップＳ１０）。
【００３４】
このステップＳ９で電圧値Ｖbattがこの基準電圧値Ｖｔ３より小さいときは過放電のバッテリ４と識別し、充電制御回路８に初期充電動作をさせるように準備し（ステップＳ１１）、その後このシステムコントローラ２はこのカメラ一体型ビデオレコーダ１を、この定電圧電源装置３で駆動するようにすると共にバッテリ４を初期充電動作により充電する。
【００３５】
斯る本例によればバッテリ４の装着情報を検出するのにこのバッテリ４の電圧により得ると共にこのバッテリ４の電圧が低いときには初期充電動作をしながら装着情報を得るようにしているので精度の高い識別を行なうことができる利益がある。
【００３６】
また本例によれば、機械的スイッチを使用することなく、バッテリ４の装着情報を得るようにしているので、機械的な設計制約を受けないと共に部品コストを削減できる利益がある。
【００３７】
尚、上述例は本発明をカメラ一体型ビデオレコーダに適用した例につき述べたが本発明をその他のポータブル電子機器に適用できることは勿論である。
【００３８】
また本発明は上述例に限ることなく、本発明の要旨を逸脱することなくその他種々の構成が採り得ることは勿論である。
【００３９】
【発明の効果】
本発明によればバッテリの装着情報を検出するのにこのバッテリの電圧により得ると共にこのバッテリ４の電圧が低いときには初期充電動作をしながら装着情報を得るようにしているので精度の高い識別を行なうことができる利益がある。
【００４０】
また本発明によれば、機械的スイッチを使用することなく、バッテリ４の装着情報を得るようにしているので、機械的な設計制約を受けないと共に部品コストを削減できる利益がある。
【図面の簡単な説明】
【図１】本発明ポータブル電子機器の電源識別装置の実施の形態の例を示す構成図である。
【図２】図１の説明に供するフローチャートである。
【符号の説明】
１…カメラ一体型ビデオレコーダ、２…システムコントローラ、３…定電圧電源装置、４…バッテリ、８…充電制御回路、９…ＤＣ−ＤＣコンバータ
【図１】
0003870528.tif 000002
【図２】
0003870528.tif 000003